(57)【要約】【課題】住宅所有者の収益率向上に寄与し、かつ、入居者にも魅力のある集合住宅を提供すること。【解決手段】バルコニーを有さない低層の集合住宅は、外壁（１１）に配置され、各住戸の床面高さ付近から天井高さ付近まで延在する、透光性を有する窓（１２）と、窓（１２）に面し、かつ、居室（２２）に隣接して屋内に設けられた付属室（３０）とを備える。付属室（３０）と居室（２２）との間の境界部には、間仕切り扉（４１）が設けられている。少なくとも２階以上に位置する前記窓（１２）は、床面高さから所定高さ以下の部分に設けられた、開閉できない第１の窓部と、第１の窓部の上方に設けられた、開閉可能な第２の窓部とを含む。【選択図】図２
2017066597.tif 000002
【特許請求の範囲】
【請求項１】
バルコニーを有さない低層の集合住宅であって、
外壁に配置され、各住戸の床面高さ付近から天井高さ付近まで延在する、透光性を有する窓と、
前記窓に面し、かつ、居室に隣接して屋内に設けられた付属室と、
前記付属室と前記居室との間の境界部に設けられた間仕切り扉とを備え、
少なくとも２階以上に位置する前記窓は、前記床面高さから所定高さ以下の部分に設けられた、開閉できない第１の窓部と、前記第１の窓部の上方に設けられた、開閉可能な第２の窓部とを含む、集合住宅。
【請求項２】
前記付属室の内壁面には、調湿材が施されている、請求項１に記載の集合住宅。
【請求項３】
前記付属室には、湿度センサ付きの換気装置が設けられ、
前記換気装置は、前記湿度センサにより検知された前記付属室の湿度が所定値以上の場合に、換気扇を作動させる、請求項１または２に記載の集合住宅。
【請求項４】
前記間仕切り扉は、少なくとも部分的に透光性を有している、請求項１〜３のいずれかに記載の集合住宅。
【請求項５】
前記外壁に沿う方向における前記居室の一方側には、前記居室から出入り可能な区画室が隣接して配置され、
前記付属室は、前記外壁に交差する方向において前記区画室と隣接している、請求項１〜４のいずれかに記載の集合住宅。
【請求項６】
前記付属室は、前記外壁に交差する方向において前記居室と隣接し、
前記付属室は、前記外壁に沿う方向において、前記居室から出入り可能な区画室と隣接している、請求項１〜４のいずれかに記載の集合住宅。
【請求項７】
前記付属室は、玄関土間から出入り可能に配置されている、請求項１〜６のいずれかに記載の集合住宅。
【発明の詳細な説明】
【技術分野】
【０００１】
本発明は、集合住宅に関し、特に、バルコニーを有さない低層の賃貸向け集合住宅に関する。
【背景技術】
【０００２】
一般的な集合住宅では、住戸ごとに、バルコニーが設けられている。バルコニーは、比較的日当たりの良い外壁（典型的には南向きの外壁）に沿って配置される。賃貸向け集合住宅では、バルコニーの面積は比較的狭いため、バルコニーは、洗濯物を干す目的や、エアコン室外機の設置、避難経路確保のためなど、限定的な目的にしか活用されていない。
【０００３】
一方で、特開平１０−３０６９９号公報（特許文献１）に示されるように、バルコニーを排し、各戸に専用のサンルームと、必要最小限の面積を有する避難用共用スペースとを設けた集合住宅も提案されている。この集合住宅によれば、サンルームは、バルコニーのように吹きさらしとはならないため、洗濯物を干すだけでなく、サンチェアや健康器具などを常時置いても汚れない、という利点がある。
【先行技術文献】
【特許文献】
【０００４】
【特許文献１】特開平１０−３０６９９号公報（特許第３０６４２４９号）
【発明の概要】
【発明が解決しようとする課題】
【０００５】
集合住宅の賃貸市場は、少子化や人口減少の影響もあり、供給過多になるおそれがある。今後は、入居者のニーズに合う集合住宅を提供しなければ、空き物件が発生してしまう。空き物件が発生すると、住宅所有者の利益が確保できない。また、入居物件においても、住宅所有者の収益率を向上させなければ、住宅所有者の満足度は得られない。このような状況から、入居者および住宅所有者の双方にとって、魅力のある物件を提供することが重要である。
【０００６】
本発明は、上記のような課題を解決するためになされたものであって、その目的は、住宅所有者の収益率向上に寄与し、かつ、入居者にも魅力のある集合住宅を提供することである。
【課題を解決するための手段】
【０００７】
この発明のある局面に従う集合住宅は、バルコニーを有さない低層の集合住宅であって、住戸ごとに、透光性を有する窓と、付属室と、間仕切り扉とを備える。窓は、外壁に配置され、各住戸の床面高さ付近から天井高さ付近まで延在する。付属室は、窓に面し、かつ、居室に隣接して屋内に設けられている。間仕切り扉は、付属室と居室との間の境界部に設けられている。少なくとも２階以上に位置する窓は、床面高さから所定高さ以下の部分に設けられた、開閉できない第１の窓部と、第１の窓部の上方に設けられた、開閉可能な第２の窓部とを含む。
【０００８】
好ましくは、付属室の内壁面には、調湿材が施されている。
【０００９】
付属室には、湿度センサ付きの換気装置が設けられていてもよい。この場合、換気装置は、湿度センサにより検知された付属室の湿度が所定値以上の場合に、換気扇を作動させることが望ましい。
【００１０】
好ましくは、間仕切り扉は、少なくとも部分的に透光性を有している。
【００１１】
集合住宅において、外壁に沿う方向における居室の一方側に、居室から出入り可能な区画室が隣接して配置されている場合、付属室は、外壁に交差する方向において区画室と隣接していてもよい。
【００１２】
あるいは、付属室は、外壁に交差する方向において居室と隣接している場合、外壁に沿う方向において、居室から出入り可能な区画室と隣接していてもよい。
【００１３】
付属室は、玄関土間から出入り可能に配置されていてもよい。
【発明の効果】
【００１４】
本発明によれば、バルコニーの代わりに屋内に付属室が設けられるため、住宅所有者の収益率向上に寄与し、かつ、入居者にも魅力のある集合住宅を提供することができる。
【図面の簡単な説明】
【００１５】
【図１】本発明の実施の形態１に係る集合住宅の外観を模式的に示す図である。
【図２】本発明の実施の形態１に係る集合住宅において、各住空間に設けられる付属室を概念的に示す図である。
【図３】本発明の実施の形態１において、ある住戸の住空間の間取り例を示す図である。
【図４】図３の間取りの場合に、居間側から見た付属室を模式的に示す図である。
【図５】本発明の実施の形態１において、付属室の利用例を示す模式図である。
【図６】本発明の実施の形態１において、付属室の他の利用例を示す模式図である。
【図７】本発明の実施の形態１において、付属室のさらに他の利用例を示す模式図である。
【図８】本発明の実施の形態１において、付属室のさらに他の利用例を示す模式図である。
【図９】本発明の実施の形態２において、ある住戸の住空間の間取り例を示す図である。
【図１０】本発明の実施の形態３において、ある住戸の住空間の間取り例を示す図である。
【図１１】本発明の実施の形態４において、ある住戸の住空間の間取り例を示す図である。
【図１２】公知の集合住宅において、各住空間に設けられるハングバルコニーを概念的に示す図である。
【図１３】公知の集合住宅において、各住空間に設けられるインナーバルコニーを概念的に示す図である。
【発明を実施するための形態】
【００１６】
本発明の実施の形態について図面を参照しながら詳細に説明する。なお、図中同一または相当部分には同一符号を付してその説明は繰返さない。
【００１７】
＜実施の形態１＞
はじめに、図１を参照して、本実施の形態に係る集合住宅１の概要について説明する。
【００１８】
集合住宅１は、賃貸向けの２階建て集合住宅である。集合住宅１では、たとえば各階に、複数の住戸の住空間２０が設けられている。本実施の形態において、住空間２０とは、各住戸において、玄関よりも奥に位置する空間（玄関を含む）を表わす。集合住宅１は、その特徴として、バルコニーを有していない。ここでいう「バルコニー」とは、住空間のうち外壁の外に設けられる空間（半屋外空間）であり、本来のバルコニーだけでなく、ベランダやテラスも含む。
【００１９】
一般的な集合住宅には、バルコニーが設けられている。しかしながら、日常生活において、バルコニーは、洗濯物を干すためなどの限定的な目的にしか用いられていない。
【００２０】
今般の市場調査によると、バルコニーの利用度および満足度は、あまり高くない。その理由の一つに、入居者層の変化（単身者の増加、共働き世帯の増加）、大気汚染（たとえばＰＭ２．５）といった社会背景などから、洗濯物をバルコニーに干さず、室内に干す入居者（内干し派）が増えている、という状況が挙げられる。
【００２１】
また、バルコニーに洗濯物を干したいと考える入居者（外干し派）であっても、図１２（Ｂ）に示すような奥行きの小さいハングバルコニー１３１の場合、洗濯物が雨にかかるため、雨天の際には室内に干さざるを得ないというのが実情である。さらに、住宅所有者側の観点からすると、ハングバルコニー１３１は集合住宅の共用部であるため、バルコニー設置のために投資したとしても、必ずしも収益に繋がらない。図１２（Ａ）には、ある住戸の住空間１２０のうち、収益を生むスペースがハッチングで示されている。
【００２２】
図１３（Ｂ）に示すようなインナーバルコニー１３２の場合、雨天でも洗濯物が雨に濡れ難いため、外干し派の入居者の満足度は、ハングバルコニー１３１よりも高くなる。しかし、インナーバルコニー１３２も、集合住宅の共用部であるため、その部分は住宅所有者の収益とならない。つまり、図１３（Ａ）に示されるように、住空間１２０のうち、インナーバルコニー１３２を除いた部分が、収益を生むスペースとなる。
【００２３】
これに対し、本実施の形態の集合住宅１は、図２（Ａ），（Ｂ）に示されるように、バルコニーを排し、その代わりに、各住空間２０に新たな部屋３０を追加している。部屋３０は、屋内において、居間２２などの居室に隣接して設けられる、付属の部屋である。このことから、部屋３０を「付属室」と表現する。付属室３０は、屋内に配置される専有空間であるため、図２（Ａ）に示されるように、付属室３０を含めた住空間２０全てが、住宅所有者の収益を生むスペースとなり得る。以下に、付属室３０を備えた集合住宅１について、詳細に説明する。
【００２４】
図１および図２（Ｂ）に示されるように、付属室３０は、採光と通風とが可能であるように、外壁１１の窓１２際に設けられる。外壁１１は、集合住宅１を取り囲む外壁のうち、たとえば南向きの外壁を示している。
【００２５】
窓１２は、各住戸の床面高さ付近から天井高さ付近まで延在する大型窓である。窓１２の横幅寸法は、一般的な引き違い窓の横幅寸法以上であることが望ましい。なお、外壁１１には、付属室３０に面する窓１２以外にも、他室に面する窓（図示せず）が設けられていてもよい。
【００２６】
図３は、集合住宅１に含まれるある住戸の住空間２０の間取り例を示す図である。図３に示す住空間２０は、玄関２１と、居間２２と、キッチン２３と、寝室２４と、トイレ２５と、浴室２６と、洗面室２７と、付属室３０とを含む。つまり、住空間２０は、１ＬＤＫに付属室が付加された、１ＬＤＫ＋付属室（プラスルーム）タイプである。玄関２１、トイレ２５、浴室２６、洗面室２７、および廊下は、衛生目的や通路として使用され、継続的に使用されない非居室である。その他の居間２２、キッチン２３、および寝室２４は、一定時間継続的に使用される居室である。居間２２は、入居者が寛いで過ごす（家族がいる場合は、家族が集う）公的空間であり、リビングルーム、ダイニングルーム、および和室を含み得る。
【００２７】
付属室３０は、外壁１１に沿う方向、すなわち横方向（矢印Ａ２で示す方向）に長さを有する、矩形形状の部屋である。付属室３０は、外壁１１に直交（交差）する方向、すなわち内外方向（矢印Ａ１で示す方向）において、居間２２に隣接している。付属室３０は、居間２２から出入り可能な部屋である。付属室３０の面積は、一般的なバルコニーの面積と同等か、それ以上であってもよいが、居間２２よりも狭い。具体的には、付属室３０の面積は、たとえば３〜４畳分に相当する。
【００２８】
居間２２および付属室３０は、外壁１１に直交する戸境壁（または外壁）に沿って、配置されている。居間２２と付属室３０との境界部には、開閉可能な間仕切り扉４１が設けられている。間仕切り扉４１は、境界部の開口幅を調整可能な扉であり、具体的には、左右方向にスライド可能な複数の引き戸で構成される。間仕切り扉４１を全開状態とした場合に、境界部の略全幅が開放されることが望ましい。また、間仕切り扉４１は、全部または一部が透光性を有していることが望ましい。
【００２９】
なお、間仕切り扉４１は、引き戸に限定されず、境界部の開口幅を調整可能な扉であればよい。また、境界部には、開閉できない間仕切り壁が含まれていてもよい。この場合、間仕切り壁に、透光性を有する窓が設けられてもよい。
【００３０】
図４は、居間２２側から見た付属室３０を模式的に示す図である。図４を参照して、付属室３０の天井３３には、予め、洗濯竿５１を取り付けるための吊り具５１ａが設けられている。吊り具５１ａは、必要な場合にのみ天井面から下降できるように設けられていてもよい。付属室３０の内壁面３２の少なくとも一部には、調湿材が施されていることが望ましい。また、付属室３０の床面３１は防水性を有していることが望ましい。付属室３０がこのように構成されるため、入居者は付属室３０に洗濯物を干して乾かすことができる。つまり、付属室３０を洗濯物の乾燥室として用いることができる。
【００３１】
屋内の付属室３０に洗濯物を干すと、付属室３０の湿度は上昇する。付属室３０の内壁面３２に施された調湿材によって、ある程度の除湿効果が見込めるが、調湿材の吸湿量には限度がある。そのため、付属室３０に隣接する外壁１１に、強制排気用の換気扇（図示せず）が設けられていることが望ましい。これにより、付属室３０に洗濯物を干す場合に、この換気扇を作動させることで、付属室３０の湿度上昇を抑えることができる。
【００３２】
なお、付属室３０に、湿度センサ付きの換気装置（図示せず）を設けてもよい。換気装置は、湿度センサにより検知された付属室３０の湿気が所定値の場合にのみ、換気扇を作動させる。したがって、付属室３０に換気装置を備えた場合、入居者は付属室３０の湿度を意識しなくても、付属室３０の湿度上昇を自動的に抑制することができる。
【００３３】
このように、付属室３０には、洗濯物を干しても湿度過多となることを防止する機能が予め備えられている。そのため、付属室３０内の空気環境を快適な状態に維持することができる。したがって、付属室３０は、室内干しのためだけのサンルームではなく、入居者が日常において様々な目的で（継続的に）使用できる、第２の居室として機能させることができる。
【００３４】
たとえば、図５に示すように、付属室３０を、ストレッチなど運動のためのトレーニングスペースとしてもよい。図６に示すように、付属室３０に本棚を置いて、付属室３０をライブラリースペースとすることもできる。図７に示すように、光に満たされるアトリエ（絵画・工芸）スペースとしてもよい。あるいは、入居者が若年ファミリー世帯である場合などにおいては、図８に示すように、付属室３０を、居間２２つながりの明るいキッズスペースとしてもよい。
【００３５】
このように、付属室３０は、単なるサンルームではなく、太陽光が差し込む明るい趣味室のように使用できる。付属室３０は窓１２を介して通風も可能であるが、少なくとも２階以上に配置される窓１２は、下半分がフィックス窓であることが望ましい。図１の例では、２階の窓１２が、開閉できないフィックス窓（第１の窓部）１２ａと、開閉可能な引き違い窓（第２の窓部）１２ｂとで構成されている。
【００３６】
フィックス窓１２ａは、２階の床面高さから所定高さ以下の部分に設けられる。引き違い窓１２ｂは、フィックス窓１２ａの上方に設けられる。なお、フィックス窓１２ａの上端高さは、床面を基準として、腰高さである９００ｍｍを越えていることが望ましいが、限定的ではない。これにより、窓１２からの転落事故を防止することができる。したがって、付属室３０の安全性を高めることができる。１階の窓１２は、一般的な掃出し窓であってもよい。
【００３７】
図３に示す住空間２０の間取り例に示される付属室３０と他室との位置関係について、具体的に説明する。
【００３８】
図３に示すように、居間２２の横方向一方側（紙面左側）にキッチン２３が配置されているような場合、付属室３０は、内外方向において、居間２２だけでなくキッチン２３にも隣接するように配置されてもよい。この場合、付属室３０の横方向長さは、居間２２の横方向長さよりも長い。キッチン２３は、居間２２と横方向に隣接する区画室である。なお、「区画室」とは、ある居室に隣接し、かつ、その居室から出入り可能な部屋を表わす。区画室は、キッチン２３などの居室、洗面室２７などの非居室、および収納室（ウォークインクローゼットまたはウォークスルークローゼット）を含み得る。
【００３９】
キッチン２３と付属室３０との境界部にも出入口が設けられていてもよい。出入口には、開閉可能な間仕切り扉４２が設けられていることが望ましい。間仕切り扉４２も、少なくとも部分的に透光性を有していることが望ましい。このように、付属室３０と区画室としてのキッチン２３との境界部に出入口が設けられている場合、入居者は、居間２２から付属室３０を通り抜けてキッチン２３へ行くことができる。
【００４０】
このような場合、吊り具５１ａは、付属室３０の横方向中央部に設けられるのではなく、横方向一方側（キッチン２３側）に偏って設けられていることが望ましい。そうすることで、居間２２への採光が、干された洗濯物によって遮られることを防止することができる。また、居間２２で入居者が寛いでいる場合に、入居者の視界に洗濯物が殆ど入らない。したがって、入居者は居間２２において快適に過ごすことができる。さらに、付属室３０に洗濯物を干したままであっても、居間２２に来客者を通すことができる。
【００４１】
また、図３に示すように、付属室３０の横方向一方側には、洗面室２７が設けられていてもよい。洗面室２７は、脱衣所を兼ねており、そこに洗濯機が設置される。そのため、洗面室２７において洗濯した洗濯物を、すぐに付属室３０に干すことができる。なお、付属室３０と洗面室２７との間の間仕切り扉４３は、透光性を有していなくてよい。
【００４２】
以上説明したように、集合住宅１において、通常バルコニーが設けられる日当たりの良い外壁１１に沿って、採光と通風とが可能な付属室３０を設けることで、付属室３０において洗濯物を適切に乾燥させることができる。したがって、本実施の形態によれば、屋外の天候、気温、花粉、汚染物質、あるいは火山灰等を気にする必要がない。
【００４３】
また、低層の集合住宅の場合、バルコニーに洗濯物を干すと、通行人から丸見えとなる場合があるが、本実施の形態では、屋内の付属室３０で洗濯物を乾燥できるため、一人暮らしの女性の満足度を高めることもできる。
【００４４】
さらに、付属室３０を居間２２続きで設けることで、室内干し以外の用途にも付属室３０を活用することができる。したがって、バルコニーの面積分、入居者が自由に使えるスペースが増えるため、入居者全体の満足度を向上させることができる。さらに、収益性の良くないバルコニーを排除することで、住宅所有者の満足度も向上させることができる。
【００４５】
なお、付属室３０において、より容易に洗濯物を乾燥できるようにするためには、付属室３０に、室内干し用の送風機（図示せず）が設置されていてもよい。あるいは、付属室３０に隣接する居室（居間２２または寝室２４）ではなく、付属室３０の内壁面３２にエアコン（図示せず）の設置スペースを設け、エアコンの送風機能によって洗濯物を乾燥可能としてもよい。
【００４６】
本実施の形態の集合住宅１の場合、エアコンの室外機は、外壁１１の表面に直接設置されてもよい。
【００４７】
＜実施の形態２＞
上記実施の形態１では、付属室３０は、（外壁１１を基準として）内外方向において居間２２と隣接していた。これに対し、本実施の形態において、付属室３０は、（外壁１１を基準として）横方向において居間２２と隣接している。以下に、実施の形態１との相違点のみ説明する。
【００４８】
図９は、本実施の形態において、ある住戸の住空間２０Ａの間取り例を示す図である。図９を参照して、付属室３０は、居間２２の横方向一方側（紙面左側）に隣接して設けられている。そのため、住空間２０Ａでは、居間２２も、外壁１１に隣接している。この場合においても、付属室３０と居間２２との境界部に位置する間仕切り扉４４は、複数の引き戸で構成されており、少なくとも部分的に透光性を有していることが望ましい。
【００４９】
本実施の形態では、居間２２は外壁１１に隣接しているため、外壁１１に、居間２２用の窓１４を設けることができる。したがって、居間２２にも窓１４から直接光が差し込むため、実施の形態１よりも居間２２を明るい空間とすることができる。なお、外壁１１は、居間２２および付属室３０の一方が、他方よりも屋外方向に突出するように、部分的に張り出していてもよい。
【００５０】
このように、居間２２と付属室３０とが横方向において隣接する場合、付属室３０は、横方向長さよりも内外方向長さの方を長くしてもよい。このような場合、吊り具５１ａは、洗濯竿５１の延在方向が内外方向に一致するように、付属室３０の天井に取付けられてもよい。
【００５１】
また、図９に示されるように、付属室３０内に収納空間５２を設けてもよい。収納空間５２は、たとえば、衣服を収納するクローゼットである。これにより、付属室３０の開放された空間で乾かした洗濯物を、そのまま収納空間５２に収納することができる。
【００５２】
なお、図９に示す住空間２０Ａは、玄関２１のみが集合住宅１の１階に位置し、玄関２１以外の主要空間が集合住宅１の２階に位置する構成である。この場合、１階の玄関２１と２階の踊り場２８ａとが、屋内の階段２８ｂによって連結されている。
【００５３】
＜実施の形態３＞
上記実施の形態１では、付属室３０は、玄関２１よりも奥に位置する部屋（居室および非居室を含む）に隣接するように設けられていた。これに対し、本実施の形態において、付属室３０は、玄関２１に隣接している。以下に、実施の形態１との相違点のみ説明する。
【００５４】
図１０は、本実施の形態において、ある住戸の住空間２０Ｂの間取り例を示す図である。図１０を参照して、住空間２０Ｂにおいて、玄関２１が、外壁１１に沿って設けられている。付属室３０は、内外方向において居間２２と隣接し、横方向において玄関土間２１ａと隣接している。付属室３０は、玄関土間２１から出入り可能に配置されている。付属室３０と玄関土間２１ａとの境界部の間仕切り扉４５は、透光性を有していなくてもよい。
【００５５】
この場合、付属室３０の床面高さは、居間２２と同じ高さであってもよいし、玄関土間２１ａと同じ高さであってもよい。あるいは、付属室３０の床面高さは、居間２２の床面高さと玄関土間２１ａの床面高さとの間の高さであってもよい。
【００５６】
本実施の形態の住空間２０Ｂによれば、入居者は、居間２２からだけでなく、玄関土間２１ａから直接、付属室３０に入ることができる。そのため、付属室３０に、たとえばお気に入りの自転車を置いて、自転車の手入れを行うスペースとして活用することができる。あるいは、付属室３０を屋内ガーデンのように使用することもできる。この場合、付属室３０で育てている植物を、居間２２から眺めることができ、身近に緑を楽しむことができる。
【００５７】
＜実施の形態４＞
上記実施の形態１〜３では、付属室３０が隣接する外壁１１は、比較的日当たりの良い南向きの外壁を想定した。これに対し、本実施の形態において、付属室３０が隣接する外壁１１は、比較的日当たりの良くない、たとえば北向きの外壁である。以下に、実施の形態１との相違点のみ説明する。
【００５８】
図１１は、本実施の形態において、ある住戸の住空間２０Ｃの間取り例を示す図である。住空間２０Ｃにおいて、付属室３０は、北向きの外壁１１に隣接して設けられている。この場合、付属室３０は、居間２２に隣接せず、寝室２４に隣接する位置に設けられている。
【００５９】
本実施の形態では、付属室３０は、横方向において寝室２４と隣接している。この場合、寝室２４も、外壁１１に隣接して設けられる。寝室２４は、付属室３０の横方向一方側（紙面左側）に配置されている。
【００６０】
付属室３０と寝室２４との境界部に位置する間仕切り扉４６も、複数の引き戸で構成され、少なくとも部分的に透光性を有していることが望ましい。これにより、間仕切り扉４６を閉じていても、寝室２４をより明るく感じさせることができる。
【００６１】
付属室３０の横方向他方側に位置する間仕切り壁４７は、たとえばトイレ２５の側壁である。この場合、付属室３０の換気扇を、外壁１１でなく、間仕切り壁４７に設けてもよい。トイレ２５には、通常、強制排気のための換気扇が設けられているため、付属室３０の湿気を、トイレ２５を介して屋外に排気する構成であってもよい。
【００６２】
本実施の形態のように、付属室３０が寝室２４に隣接して設けられる場合、付属室３０を、主に就寝前に利用するリラックスルームとして活用することができる。つまり、入居者は、付属室３０において、プライベートな時間をゆったりと楽しむことができる。具体的には、付属室３０においてヨガでリラックスしたり、付属室３０をシアタールームのように使用することもできる。また、付属室３０を、生活リズム（就寝時間、起床時間）の異なる家族の別寝室として用いてもよい。
【００６３】
住空間２０Ｃに、寝室２４から出入りできるウォークインクローゼット（収納室）２９を設ける場合、ウォークインクローゼット２９は、付属室３０と内外方向に隣接するように配置されてもよい。この場合、付属室３０側にも、ウォークインクローゼット２９の出入口２９ａを設けてもよい。ウォークインクローゼット２９は、寝室２４と横方向に隣接する区画室である。
【００６４】
本実施の形態のように、北向きの外壁１１際に付属室３０を配置する場合には特に、洗濯物を干す場所を付属室３０に集中させず、複数箇所に分散できるようにしてもよい。住空間２０Ｃにおいては、洗面室２７にも吊り具５１ａが設けられている。また、浴室２６に乾燥機能がある場合には、洗濯物を浴室２６にて乾燥することもできる。
【００６５】
なお、本実施の形態では、付属室３０は、横方向において寝室２４と隣接することとしたが、内外方向において寝室２４と隣接してもよい。
【００６６】
上記した各実施の形態によれば、住空間が、バルコニーを有さない代わりに、少なくとも居間２２または寝室２４に隣接する付属室３０を有している。これにより、居間２２または寝室２４を広く見せることができる。また、付属室３０は、洗濯物を干すだけでなく、入居者が自由に使用できる部屋（居室）であるため、魅力ある賃貸物件を提供することができる。この点において、上記特許文献１で提案されている集合住宅のサンルームは、単純に、外壁の外に位置するバルコニーを屋内側に移しただけの非居室であり、サンルームを居室として使用することができない。
【００６７】
なお、付属室３０の配置位置、すなわち住空間の間取りは、集合住宅１を建てる地域、周囲の環境等に応じて、住宅所有者が自由に選択可能であってもよい。ただし、付属室３０は、外壁１１の窓１２際に配置され、かつ、居間２２または寝室２４に隣接して配置されることが望ましい。あるいは、付属室３０は、居間２２および寝室２４の双方に隣接していてもよい。つまり、付属室３０は、少なくとも１つの居室に隣接していればよい。一つの付属室３０に対し、複数の窓１２が設けられてもよい。
【００６８】
また、付属室３０と居間２２または寝室２４とが内外方向に隣接する場合、付属室３０は、外壁１１に沿って、居間２２から出入り可能な区画室（たとえばキッチン２３または収納室）と横方向に隣接して配置されていてもよい。
【００６９】
また、集合住宅１が２階建てであるとしたが、１階建てであってもよいし、３階以上の建物であってもよい。また、各実施の形態の構成を分譲向けの集合住宅にも適用可能である。ただし、集合住宅は、低層（典型的には３階以下）であることが望ましい。
【００７０】
また、上記した各実施の形態の要素を、適宜、組み合してもよい。
【００７１】
なお、いずれの集合住宅であっても、消防法、建築基準法、その他関係法令の遵守の下で実施されるものとする。
【００７２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７３】
１  集合住宅、１１  外壁、１２，１４  窓、１２ａ  フィックス窓、１２ｂ  開閉窓、２０，２０Ａ，２０Ｂ，２０Ｃ，１２０  住空間、２１  玄関、２１ａ  玄関土間、２２  居間、２３  キッチン、２４  寝室、２５  トイレ、２６  浴室、２７  洗面室、２８ａ  踊り場、２８ｂ  階段、２９  ウォークインクローゼット、３０  付属室（部屋）、３１  床面、３２  内壁面、３３  天井、４１，４２，４３，４４，４５，４６  間仕切り扉、４７  間仕切り壁、５１  洗濯竿、５１ａ  吊り具、５２  収納空間、１３１  ハングバルコニー、１３２  インナーバルコニー。
【図１】
2017066597.tif 000003
【図２】
2017066597.tif 000004
【図３】
2017066597.tif 000005
【図４】
2017066597.tif 000006
【図５】
2017066597.tif 000007
【図６】
2017066597.tif 000008
【図７】
2017066597.tif 000009
【図８】
2017066597.tif 000010
【図９】
2017066597.tif 000011
【図１０】
2017066597.tif 000012
【図１１】
2017066597.tif 000013
【図１２】
2017066597.tif 000014
【図１３】
2017066597.tif 000015